(57)【要約】【課題】無負荷・軽負荷時の騒音・振動を低減すると同時に、中負荷・重負荷時に求められる伝達容量を、装置を大型化することなく実現、提供する。【解決手段】内歯歯車２０４を内歯歯車本体２０４ａと内歯体２０４ｂに分離可能とし、その間に弾性体２０２を挟装することにより、内歯体２０４ｂを外歯歯車２０６へと積極的に付勢することで、軽負荷時の噛合騒音の増大を解消する。一方、中、重負荷時においては、弾性体２０２が変形することによって剛体同士の外歯歯車２０６、内歯歯車本体２０４ａ、内歯体２０４ｂの直接接触が実現され、確実な動力伝達を行う。【選択図】図１
2006183848.tif 000002
【特許請求の範囲】
【請求項１】
内歯歯車と、該内歯歯車に内接噛合する外歯歯車とを有する動力伝達装置において、
前記内歯歯車と前記外歯歯車の少なくとも一方が、歯車本体と歯体とに分離可能とされており、且つ、
前記歯車本体と前記歯体との間に挟装され、前記歯体を他方の歯車の歯の側に付勢する弾性体を有し、且つ、
当該動力伝達装置の負荷上昇時においては、前記弾性体の変形により前記分離された歯車本体と歯体とが直接接触・係合可能とされている
ことを特徴とする動力伝達装置。
【請求項２】
請求項１において、
前記歯体が前記歯車本体の半径方向に可動とされている
ことを特徴とする動力伝達装置。
【請求項３】
請求項１又は２において、
前記歯体が円柱体、円筒体又は球体のいずれかであって、
前記弾性体には、前記歯体の形状に対応する凹部が形成されている
ことを特徴とする動力伝達装置。
【請求項４】
請求項１乃至３のいずれかにおいて、
１つの前記歯体に対して複数の前記弾性体が前記歯体を支持可能に配置されている
ことを特徴とする動力伝達装置。
【請求項５】
請求項４において、
前記弾性体はＯリングである
ことを特徴とする動力伝達装置。
【発明の詳細な説明】
【技術分野】
【０００１】
本発明は、内歯歯車と該内歯歯車に内接噛合する外歯歯車とを有する動力伝達装置に関する。
【背景技術】
【０００２】
従来、内歯歯車と該内歯歯車に内接噛合する外歯歯車とを備えてなり、入力される動力を相手機械に伝達可能な動力伝達装置が多く知られており、これら動力伝達装置は、例えばコンベアや生ごみ処理機の駆動等の用途に幅広く適用されている。このような動力伝達装置の一つとして、例えば特許文献１に示すような動力伝達装置が提案されている。
【０００３】
ところで、このような動力伝達装置がコンベアの駆動用途に適用された場合を例にとると、動力伝達装置は、特にコンベアの起動時や大きな搬送物を搬送する際に大きな反作用トルクを受けるため、このようなコンベアの起動時や加速時等の中・重負荷時には伝達容量の確保が特に要求される。一方、コンベアが一度起動され、定常運転状態になった場合には、コンベア起動時等の半分にも満たない小さな伝達容量があればコンベアを駆動可能であり、このような無・軽負荷時には伝達容量の確保よりも、低騒音化、低振動化が要求される。
【０００４】
【特許文献１】特公平５−７８７０１号公報
【発明の開示】
【発明が解決しようとする課題】
【０００５】
内歯歯車と該内歯歯車に内接噛合する外歯歯車とを備えた従来の動力伝達装置は、外歯歯車同士の噛合に比べ、一般に歯と歯の同時噛合本数（噛合い本数）が多くなる。そのため、相手機械を駆動するのに必要な出力トルクが小さい無・軽負荷領域においては、トルク伝達に必要な噛合部の弾性変形量が各部の隙間や、加工誤差、組立誤差よりも相対的に小さくなることがあり、内歯歯車と外歯歯車との噛合い本数が、トルク変動に伴う弾性変形量の大小によって変化し易くなる。従って、このような無・軽負荷領域においては、僅かなトルク変化が噛合い状態の変化（接触、非接触状態の変化）となり、騒音・振動の変動や増大が生じ易くなってしまうといった問題があった。
【０００６】
一方、このような問題を解消する一手段として、内歯歯車を構成する部材を、弾性係数の低い（弾性変形量の大きい）樹脂やアルミ等の材料で製作することも考えられる（特許文献１参照）。しかしながら、一般に弾性係数の低い材料は硬さや強度が低いため、動力伝達装置全体の剛性が低く（伝達容量が低く）なり易い。
【０００７】
本発明は、このような問題に対処すべく創案されたものであって、無・軽負荷時においては騒音・振動の発生を防止すると同時に、動力伝達装置自体を大型化することなく中・重負荷時における十分な伝達容量を確保した動力伝達装置を提供することをその課題としている。
【課題を解決するための手段】
【０００８】
本発明は、内歯歯車と、該内歯歯車に内接噛合する外歯歯車とを有する動力伝達装置において、前記内歯歯車と前記外歯歯車の少なくとも一方が、歯車本体と歯体とに分離可能とされており、且つ、前記歯車本体と前記歯体との間に挟装され、前記歯体を他方の歯車の歯の側に付勢する弾性体を有し、且つ、当該動力伝達装置の負荷上昇時においては、前記弾性体の変形により前記分離された歯車本体と歯体とが直接接触・係合可能とされている構成とすることにより、上記課題を解決したものである。
【０００９】
本発明では、内歯歯車及び外歯歯車の少なくとも一方を、歯車本体と歯体とに分けて別々の剛体で構成し、その歯車本体と歯体との間に弾性体を挟装させている。そのため、分離した歯体を積極的に噛合する他方の歯の側へと常時付勢することができる。これにより、無・軽負荷時における加工誤差、組立誤差等に起因する隙間を埋め、バックラッシを実質的に零として歯面同士を常に接触させることで、（複数の）噛合部における通常の噛合以外の接触・離反が繰り返されることによる騒音を低減できる。
【００１０】
又、中・重負荷時においては、弾性体が押し潰され（変形することにより）、動力伝達容量の高い剛体同士が接触（係合）し、確実に動力を伝達することができる。
【発明の効果】
【００１１】
本発明によれば、動力伝達装置の無・軽負荷運転時において、騒音・振動の発生を防止すると同時に、中・重負荷運転時における伝達容量の確保を、減速機を大型化することなく実現できる。
【発明を実施するための最良の形態】
【００１２】
以下に添付図面を用いて本発明の構成を詳細に説明する。
【００１３】
図１は本発明の実施形態の一つであり、本発明の実施形態に係る動力伝達装置１０４を備えたギヤドモータＧＭ１００の一部を破断した全体正断面図、図２は、図１のII−II線断面図、図３は図２におけるIII部拡大図、図４は図１におけるIV部の拡大図であり、（Ａ）が無・軽負荷運転時、（Ｂ）が中・重負荷運転時の状態を表わしたものである。なお、図３及び図４においては、噛み合い状態の理解を容易にするために、隙間等の関係を誇張して表現している。
【００１４】
このギヤドモータＧＭ１００は、モータ１０２（外観のみ図示）と、該モータ１０２に連結・一体化された動力伝達装置１０４とを備えている。
【００１５】
該動力伝達装置１０４は、高速軸（モータ１０２のモータ軸）１０８と、低速軸１０６と、内接噛合遊星歯車機構２００と、を備えている。この動力伝達装置１０４は、モータ１０２から入力される動力を、前記内接噛合遊星歯車機構２００及び低速軸１０６を介して、相手機械（図示略）に伝達が可能である。
【００１６】
前記高速軸１０８は、軸受２３０、２３２によって内カバー１２２及び低速軸１０６に回転自在に両持ち支持されており、軸心Ｏ１を中心に回転可能である。
【００１７】
前記低速軸１０６は、軸受２３２、２３４、２３６によって外カバー１２０及び高速軸１０８に回転自在に３点支持されており、前記高速軸１０８と同じ軸心Ｏ１を中心に回転可能である。
【００１８】
又、これら高速軸１０８及び低速軸１０６の間に、前記内接噛合遊星歯車機構２００が配置されている。この内接噛合遊星歯車機構２００における外歯歯車２０６は、外周にトロコイド歯形や円弧歯形等の外歯を有している。又、内歯歯車２０４は、内歯歯車本体２０４ａと内歯を構成する内歯体２０４ｂに分離されている。前記外歯歯車２０６は、内歯歯車２０４の内歯体２０４ｂとそれぞれ内接噛合している。又、該外歯歯車２０６は、該外歯歯車２０６と偏心体２１０の間に設けられた偏心体用軸受２１２を介して偏心体２１０に嵌合し、該偏心体２１０の回転に伴って揺動回転可能である。更に、外歯歯車２０６には内ローラ孔２１６が複数個設けられ、内ピン２０８及び内ローラ２１４が、各内ローラ孔２１６に挿嵌されている。なお、図１に示すように、内ピン２０８の一端は、前記低速軸１０６によって片持ち支持されており、該内ピン２０８を介して外歯歯車２０６の自転成分を低速軸１０６に伝達可能である。
【００１９】
内接噛合遊星歯車機構２００は、動力伝達装置１０４の内カバー１２２と外カバー１２０の間に、ボルト１２４を介して挟持されており、内歯歯車本体２０４ａが動力伝達装置１０４のケーシング１２８の一部を兼ねている。
【００２０】
図４に示すように、内歯歯車本体２０４ａの内周側の軸方向略中央部には深さＤ１の凹部２１８が全周にわたって形成されており、該凹部２１８に弾性体２０２が配置されている。その配置された状態での該弾性体２０２の厚さＤ２は、前記凹部２１８の深さＤ１よりも大きいため、Ｄ２−Ｄ１の分だけ弾性体２０２の一部は前記凹部２１８から突出している。
【００２１】
一方で前記内歯歯車本体２０４ａを挟持する前記外カバー１２０と内カバー１２２には、段部１２０ａ、１２０ｂ及び段部１２２ａ、１２２ｂがそれぞれ形成されており、該段部１２０ａ、１２０ｂ、１２２ａ、１２２ｂにより形成される凹部２１９に前記内歯体２０４ｂが嵌合し、前記弾性体２０２を厚さＤ３にまで押し潰している。更に、該内歯体２０４ｂに外歯歯車２０６が噛合している。
【００２２】
内歯体２０４ｂは、この実施形態では円柱状のピンで構成されている。即ち、この内歯歯車２０４ａは、「円弧歯形の内歯」を備えている。
【００２３】
無・軽負荷時には図４（Ａ）に示すように、前記弾性体２０２により前記内歯歯車本体２０４ａと前記内歯体２０４ｂは分離され隙間Ｇ１（Ｄ３−Ｄ１）が形成されるようになっている。
【００２４】
このとき、内歯体２０４ｂは、自身の軸方向略中央部で、接触面Ｃ１を介して弾性体２０２と接触している。
【００２５】
中・重負荷時には、図４（Ｂ）に示すように、弾性体は押し潰れて厚さＤ１にまで変形し、内歯体２０４ｂと内歯歯車本体２０４ａは、接触面Ｃ２及びＣ３で接触する構成とされている。
【００２６】
なお、前述した構成において、弾性体２０２以外の部材は、それぞれの部位に必要且つ十分な強度を備えた剛体によりなるものである。
【００２７】
次に、動力伝達装置１０４の作用について説明する。
【００２８】
モータ１０２に通電すると、高速軸１０８が軸心Ｏ１を中心に回転し、該高速軸１０８の外周に設けられた偏心体２１０が回転する。該偏心体２１０の回転により、外歯歯車２０６も高速軸１０８の周りで揺動回転を行なおうとするが、内歯歯車本体２０４ａと内歯体２０４ｂからなる内歯歯車２０４によってその自転が拘束されているため、外歯歯車２０６は、内歯歯車２０４に内接しながらほとんど揺動のみを行なうことになる。
【００２９】
この外歯歯車２０６の回転は、内ローラ孔２１６及び内ピン２０８によってその揺動成分が吸収され、自転成分のみが低速軸１０６を介して相手機械へと伝達される。
【００３０】
この実施形態の例における動力伝達装置１０４では、内歯歯車本体２０４ａと内歯体２０４ｂの間に挟装されている弾性体２０２の作用（弾性力）により、内歯体２０４ｂは常時外歯歯車２０６の方向へと付勢されている。即ち、低速軸１０６の負荷が無い状態又は低い状態においては、噛み合い位置での外歯歯車２０６と内歯歯車２０４の内歯体２０４ｂとの噛合面圧（反力）は低いため、弾性体２０２はほとんど変形することはなく、該内歯体２０４ｂは内歯歯車本体２０４ａとの間に隙間を形成し、且つ、弾性体２０２を介して該内歯歯車本体２０４ａ側と係合している。
【００３１】
よって、外歯歯車２０６と内歯体２０４ｂとの微妙なトルク変動による接触、非接触が繰り返されることによる騒音の増大が無く、更に、積極的な外歯歯車２０６側への付勢力によりバックラッシも無く、運転開始時、停止時、回転の反転時等に起こるガタ打音も排除できる。
【００３２】
一方で、低速軸１０６への負荷が高い場合には、噛み合い位置での外歯歯車２０６と内歯歯車２０４の内歯体２０４ｂとの噛合面圧（反力）も高くなり、弾性体２０２はその荷重によって押し潰されて変形し、内歯体２０４ｂは外歯歯車２０６と接触し、更に、内歯歯車本体２０４ａとも接触面Ｃ２及びＣ３を介して接触・係合する。
【００３３】
即ち、弾性体２０２が押し潰されない無・軽負荷時においては、外歯歯車２０６の偏心回転の際に剛体同士が接触・離反することはなく（内歯歯車本体２０４ａと内歯体２０４ｂは弾性体２０２により接触しておらず、内歯体２０４ｂと外歯歯車２０６は常に接触している）、低騒音で運転でき、一方、中・重負荷時においては、前述のとおり弾性体２０２が変形して剛体である外歯歯車２０６、内歯体２０４ｂ、内歯歯車本体２０４ａが直接接触することによって、動力の伝達を剛体同士の係合で行なうことができることになる。その結果、動力伝達装置１０４の大型化を図らずとも低騒音化と伝達容量の確保を両立させることができる。
【００３４】
なお、中・重負荷時、というのは、例えば、コンベアの駆動や、生ゴミ処理機の駆動の場合においては、起動時、重い搬送物の投入時、大量の生ごみの投入時等に相当しており、音により「機械が起動した」ことや、「重い搬送物が載せられた」こと、あるいは「大量の生ゴミが投入された」こと等を知覚することができるため、「運転音」は安全上むしろある程度は存在していた方が良い。
【００３５】
なお、本実施形態では、内歯歯車２０４を本体と歯体に分離した構成としているが、外歯歯車２０６の方をそのように構成してもよい。その場合は、外歯歯車を外歯歯車本体と外歯体とに分離可能とし、その間に弾性体を挟装することによって、外歯体を内歯歯車側へ付勢させ、且つ、負荷上昇時には、弾性体の変形によりこれらの外歯歯車本体と外歯体とが直接噛合することができる構成とすることにより実現できる。
【００３６】
又、本実施形態では、内歯体２０４ｂを円柱状の剛体（ピン）で構成しているが、必ずしもこれに限定されるものではなく、例えば円筒体や、球体等の剛体を用いて構成することも可能である。
【００３７】
又、図５に示すように、複数枚の外歯歯車５０６を備えた動力伝達装置に適用したり、図６に示すように、１枚の外歯歯車６０６に対して複数の弾性体６０２で荷重を受けるように構成することも可能である。特にこの図５、図６での実施形態のように１の歯体５０４ｂ、６０４ｂに対して複数の弾性体５０２、６０２で支持させることにより、１つの弾性体が受け持つ反力も小さくなることで、例えば安価なＯリングを弾性体として用いることが可能となり、コスト面でも有利である。更に歯体の支持バランスも良好となる。
【００３８】
又、本発明における弾性体には、ニトリルゴム、アクリルゴム、フッ素ゴム等の広くゴム材料の他にも、弾性係数の低い材料を用いて構成することが可能である。
【００３９】
なお、図５及至図６に示す実施形態においては、図１及至図３に示す実施形態と実質的に同一又は類似する部位に、下２桁が同一の符号を付し、重複説明は省略する。
【産業上の利用可能性】
【００４０】
本発明は、コンベアの駆動や生ゴミ処理機への適用は勿論、負荷変動を伴いながらも無負荷又は軽負荷運転時の割合が高い機械を駆動する際の動力伝達装置として広く適用することができる。
【図面の簡単な説明】
【００４１】
【図１】本発明の実施形態である動力伝達装置を備えたギヤドモータの全体正面一部断面図
【図２】図１におけるII−II線断面図
【図３】図２におけるIII部の拡大図であり、図２の要部である噛合状態を表わす図
【図４】図１におけるIV部の拡大図であり、外歯歯車、内歯体、内歯歯車本体、弾性体の位置関係を示す図。（Ａ）は無・軽負荷時、（Ｂ）は中・重負荷時
【図５】本発明を２枚の外歯歯車を備える動力伝達装置に適用した場合の図１相当の正断面図
【図６】本発明を、１枚の外歯歯車に対して複数の弾性体で荷重を受けるように適用した正断面図
【符号の説明】
【００４２】
ＧＭ１００…ギヤドモータ
１０２…モータ
１０４…動力伝達装置
１０６…低速軸
１０８…高速軸（モータ軸）
２００…内接噛合遊星歯車機構
２０２…弾性体
２０４…内歯歯車
２０４ａ…内歯歯車本体
２０４ｂ…内歯体
２０６…外歯歯車
２０８…内ピン
２１０…偏心体
２１２…偏心体用軸受
２１４…内ローラ
２１８、２１９…凹部
２３０、２３２、２３４、２３６…軸受
【図１】
2006183848.tif 000003
【図２】
2006183848.tif 000004
【図３】
2006183848.tif 000005
【図４】
2006183848.tif 000006
【図５】
2006183848.tif 000007
【図６】
2006183848.tif 000008